(57)【要約】【課題】無線通信機器に使用されるＳＩＭカードのプロファイルが書き替わったとしても、無線通信機器の動作を適切にすることができる無線通信機器およびその制御方法を提供すること。【解決手段】通信事業者が提供するサービスの契約に関するプロファイルを記録するｅＳＩＭ１９を使用する無線通信機器１０において、  ｅＳＩＭ１９に格納されたプロファイルを切り替えるための処理を実行する実行部１７と、通信事業者のネットワークを介して利用されるアプリケーションを駆動するＡＰＰ１８と、を備え、実行部１７は、ｅＳＩＭ１９に対して新しいプロファイルに切り替えた際に、新しいプロファイルの情報を読み出し、読み出した情報をＡＰＰ１８に通知し、ＡＰＰ１８は、新しいプロファイルの通信事業者のネットワークを介して利用されるアプリケーションを使用可能にするよう構成する。【選択図】図２
2019096949.tif 000002
【特許請求の範囲】
【請求項１】
ネットワークを介して通信事業者が提供するサービスを利用するためのプロファイルを記録するＳＩＭカードを使用する無線通信機器において、
前記ＳＩＭカードに格納されたプロファイルを切り替えるための処理を実行する実行部と、
通信事業者のネットワークを介して利用されるアプリケーションを駆動するアプリケーション駆動部と、を備え、
前記実行部は、前記ＳＩＭカードに対して新しいプロファイルに切り替えた際に、新しいプロファイルの情報を読み出し、読み出した情報を前記アプリケーション駆動部に通知し、
前記アプリケーション駆動部は、前記新しいプロファイルの通信事業者のネットワークを介して利用されるアプリケーションを使用可能にする無線通信機器。
【請求項２】
前記新しいプロファイルと前記新しいプロファイルに切り替え前のプロファイルとの内容が変更された場合、前記実行部は、前記読み出した情報を前記アプリケーション駆動部に通知する請求項１に記載の無線通信機器。
【請求項３】
前記新しいプロファイルの通信事業者の識別情報と前記新しいプロファイルに切り替え前のプロファイルの通信事業者の識別情報とが変更された場合、前記実行部は、前記読み出した情報を前記アプリケーション駆動部に通知する請求項１に記載の無線通信機器。
【請求項４】
前記新しいプロファイルの通信事業者の識別情報と前記新しいプロファイルに切り替え前のプロファイルの通信事業者の識別情報とが変更されておらず、前記サービスが変更された場合、前記実行部は、前記読み出した情報を前記アプリケーション駆動部に通知する請求項１に記載の無線通信機器。
【請求項５】
前記アプリケーションが事前に前記無線通信機器にインストールされており、
前記アプリケーション駆動部は、前記アプリケーションを使用可能にする際に、前記アプリケーションを実行する請求項１に記載の無線通信機器。
【請求項６】
前記アプリケーション駆動部は、前記アプリケーションを使用可能にする際に、前記新しいプロファイルの情報に基ついて、前記アプリケーションをダウンロードしてインストールすることで、前記アプリケーションを実行する請求項１に記載の無線通信機器。
【請求項７】
ネットワークを介して通信事業者が提供するサービスを利用するためのプロファイルを記録するＳＩＭカードを使用する無線通信機器であって、
前記ＳＩＭカードに格納されたプロファイルを切り替えるための処理を実行する実行部と、
通信事業者のネットワークを介して利用されるアプリケーションを駆動するアプリケーション駆動部と、を備えた無線通信機器の制御方法において、
前記実行部は、前記ＳＩＭカードに対して新しいプロファイルに切り替えた際に、新しいプロファイルの情報を読み出し、読み出した情報を前記アプリケーション駆動部に通知し、
前記アプリケーション駆動部は、前記新しいプロファイルの通信事業者のネットワークを介して利用されるアプリケーションを使用可能にするステップを有する
無線通信機器の制御方法。
【発明の詳細な説明】
【技術分野】
【０００１】
本発明は、ＳＩＭカードのような情報カードを用いた無線通信機器およびその制御方法に関する。
【背景技術】
【０００２】
３ＧＰＰ（3rd Generation Partnership Project）に準拠した無線通信機器では、通信事業者（オペレータまたは通信キャリアともいう）から提供されるＳＩＭカード
（Subscriber Identity Module Card）またはＵＩＭ（User Identity Module）カード（これらを以下、単にＳＩＭカードという）が無線通信機器に装着されて使用されるものがある。
【０００３】
ＳＩＭカードは、無線通信機器の契約者（ユーザ）情報および契約したサービスなどが記憶されたＩＣカードである。ユーザは、ＳＩＭカードが装着された無線通信機器を使用することで、契約したサービスを利用することができる。
【０００４】
近年、自動車などの車両に搭載された通信モジュールにも、交通情報やナビゲーションの情報などを提供するテレマティックスにおけるサービスを提供するため、ＳＩＭカードが使用される（例えば、特許文献１参照）。
【０００５】
また、ＳＩＭカードには、着脱可能なＳＩＭカードと組み込み式のｅＳＩＭ（Embedded Subscriber Identity Module）がある。スマートフォン等には着脱可能なＳＩＭカードが用いられるのが一般的だが、車載用や産業用の無線通信機器には、ｅＳＩＭの使用もなされる。
【０００６】
ｅＳＩＭは、通信事業者が提供するサービスの契約に関するプロファイルを記憶した加入者認証モジュールであり、通常、無線通信機器に組み込まれている。ユーザが通信事業者を変更する場合、新たなプロファイルが無線通信機器にダウンロードされ、これに書き替わる（例えば、特許文献２参照）。
【先行技術文献】
【特許文献】
【０００７】
【特許文献１】特開２０１４−０３６３４０号公報
【特許文献２】特開２０１７−１９５４５５号公報
【発明の概要】
【発明が解決しようとする課題】
【０００８】
本発明は、無線通信機器に使用されるＳＩＭカードのプロファイルが書き替わったとしても、無線通信機器の動作を適切にすることができる無線通信機器およびその制御方法を提供するものである。
【課題を解決するための手段】
【０００９】
本願の無線通信機器は、ネットワークを介して通信事業者が提供するサービスを利用するためのプロファイルを記録するＳＩＭカードを使用する無線通信機器において、前記ＳＩＭカードに格納されたプロファイルを切り替えるための処理を実行する実行部と、通信事業者のネットワークを介して利用されるアプリケーションを駆動するアプリケーション駆動部と、を備え、前記実行部は、前記ＳＩＭカードに対して新しいプロファイルに切り替えた際に、新しいプロファイルの情報を読み出し、読み出した情報を前記アプリケーション駆動部に通知し、前記アプリケーション駆動部は、前記新しいプロファイルの通信事業者のネットワークを介して利用されるアプリケーションを使用可能にするよう構成する。
【発明の効果】
【００１０】
本発明は、無線通信機器に使用されるＳＩＭカードのプロファイルが書き替わったとしても、無線通信機器の動作を適切にすることができる無線通信機器およびその制御方法を提供するものである。
【図面の簡単な説明】
【００１１】
【図１】本実施の形態に係る無線通信システムの構成図である。
【図２】本実施の形態に係る無線通信モジュールのブロック図である。
【図３】本実施の形態に係る無線通信システムの動作を表したシーケンス図である。
【図４】本実施の形態に係る無線通信システムの動作（パート２）を表したシーケンス図である。
【発明を実施するための形態】
【００１２】
以下、本実施の形態について、図面を参照して説明する。
【００１３】
図１は、本実施の形態に係る無線通信システムの構成図である。図１に示した無線通信システムは、無線通信モジュール１０を搭載した車両２０、基地局４Ａおよび基地局４Ｂ、ネットワーク８Ａおよびネットワーク８Ｂ、無線端末１００、管理サーバ６、ならびにＰＳＡＰ７を有している。
【００１４】
基地局４Ａおよびネットワーク８Ａは、通信事業者Ａによって提供されている。基地局４Ｂおよびネットワーク８Ｂは、通信事業者Ｂによって提供されている。以降、基地局４またはネットワーク８を区別せず説明するときには、単に基地局４またはネットワーク８と記載し、基地局４またはネットワーク８を区別して説明するときには、基地局４Ａ、４Ｂ、またはネットワーク８Ａ、８Ｂと記載する。
【００１５】
基地局４は、ＧＳＭ（登録商標）（Global System for Mobile communications）等の第２世代移動通信システム、ＣＤＭＡ（Code Division Mutlple Access）等の第３世代移動通信システム、またはＬＴＥ（Long Term Evolution）等の第４世代移動通信システムなど如何なる移動通信システムに対応していてもよい。
【００１６】
無線通信モジュール１０は、様々な機能を実現するものである。例えば、無線通信モジュール１０は、緊急通報システムを実現する上で、緊急時にＰＳＡＰ７（緊急コールセンターを含む）に発信するようになっている。また、ＰＳＡＰ７のオペレータとの通話後に、ＰＳＡＰ７から無線通信モジュール１０に着信を受けることもある。無線通信モジュール１０は、ＶｏＩＰ（Voice over Internet Protocol）等によるＩＰ電話で、発信または着信できるようにしてもよい。
【００１７】
さらに、車両２０と通信システムとを組み合わせて、リアルタイムに情報サービスを提供するテレマティクスサービスが知られている。テレマティクスサービスでは、ナビゲーションシステムのデータ更新のための地図データやＰＯＩ（point of interest）データをネットワーク８上のサーバからダウンロードする。また、テレマティクスサービスでは、車両搭載機器のダイアグ情報をネットワーク８上のサーバにアップロードする。無線通信モジュール１０は、このようなダウンロードおよびアップロードを、ネットワーク８を介して行っている。
【００１８】
本実施の形態では、無線通信モジュール１０は、車両２０などの移動体に搭載されたＩＶＳ(In Vehicle System)として例示している。本実施の形態では、移動体として車両２０を挙げて説明している。勿論、移動体は、船舶、列車、または、携帯電話機もしくはスマートフォン等の携帯端末など移動するものであれば如何なるものでもよい。
【００１９】
無線通信モジュール１０は、第２世代移動通信システム、第３世代移動通信システム、または、第４世代移動通信システムに対応していてもよい。無線通信モジュール１０は、無線端末１００と通信することもできる。無線通信モジュール１０は、様々な機能およびユーザが作成したプログラムの実行するための機能も有してもよい。
【００２０】
基地局４またはネットワーク８を運営する通信事業者Ａは、自社と契約したユーザに対し自社の移動体通信サービスを提供している。
【００２１】
図２は、本実施の形態に係る無線通信モジュールのブロック図である。図２に示した無線通信モジュールは、アンテナ１１、無線通信部１２、制御部１３、記憶部１４、ＩＦ１５、カード駆動部１６、実行部１７、ＡＰＰ（APPlication）１８、およびｅＳＩＭ１９を有している。
【００２２】
アンテナ１１は、基地局４との間の無線信号を送受信する。
【００２３】
無線通信部１２は、アンテナ１１を介して基地局４と無線通信するためのものである。無線通信部１２は、アナログ信号処理部やデジタル信号処理部を有している。無線接続については、例えば、３ＧＰＰ（Third Generation Partnership Project）におけるＬＴＥ、Ｗ−ＣＤＭＡ、ＧＳＭ（登録商標）、３ＧＰＰ２におけるＣＤＭＡ２０００といったものからＷｉＭａｘ、ＷｉＦｉ、Ｂｌｕｅｔｏｏｔｈ（登録商標）といったものが該当する。
【００２４】
アナログ信号処理部では、アンテナ１１から受信された無線信号の増幅およびアナログ−デジタル変換処理等を行い、また、デジタル信号処理部から転送されるデジタル信号のデジタル−アナログ変換処理等をアナログの増幅を行い、アンテナ１１を介して送信する。
【００２５】
デジタル信号処理部では、制御部１３から転送されたデータを符号化し、無線信号の通信チャネルで送信できるようにデジタル信号に変換し、また、アナログ信号処理部から転送されたデジタル信号を復号し、復号したデータを制御部１３に転送するようになっている。
【００２６】
制御部１３は、種々のプログラムを実行するＣＰＵ(Central Processing Unit)、ＲＯＭ(Read Only Memory)、ＲＡＭ(Random Access Memory)、バックアップＲＡＭ、Ｉ／Ｏ(Input / Output)等（いずれも図示せず）よりなるマイクロコンピュータを主体として構成され、ＲＯＭに記憶された各種の制御プログラムを実行することで各種の処理を実行するものである。制御部１３は、無線通信部１２を制御する上で必要な処理を実行する。
【００２７】
記憶部１４は、電気的に内容を書き替えることが可能なＥＥＰＲＯＭ（Electronically Erasable and Programmable Read Only Memory）などによって構成され、無線通信部１２を制御する上で必要なプログラムおよび情報を記憶する。
【００２８】
ＩＦ１５は、ＵＳＢのＩＦやその他のＩＦ等であり、ディスプレイおよびマイクとスピーカ、またはナビゲーションシステム等に接続される。
【００２９】
実行部１７は、ｅＳＩＭ１９に格納されたプロファイルを切り替えるための処理を実行するものである。例えば、実行部１７は、ＯＳ（Operating System）、または、プロファイルを切り替えるためのソフトウェアなどによって構成されてもよい。これらのソフトウェアは、制御部１３によって実行される。なお、ＯＳは、コンピュータの基本的な機能などを実装したソフトウェアであって、無線通信モジュール１０に実装される電子部品の基本的な管理や制御のための機能、および、多くのソフトウェアが共通して利用でき、システム全体を管理するソフトウェアである。
【００３０】
ＡＰＰ１８（アプリケーション駆動部）は、制御部１３によって実行されるアプリケーション（プログラムまたはソフトウェア）である。ＡＰＰ１８は、通信事業者のネットワークを介して利用されるアプリケーションを駆動する機能を有する。
【００３１】
ｅＳＩＭ１９は、組み込み型のｅＳＩＭ(Embedded SIM)である。ｅＳＩＭ１９は、無線通信モジュール１０の外にあってもよい。ｅＳＩＭ１９に記録されている情報は、無線通信およびネットワーク８を介して書き替わる。このように無線通信を介して書き替える方式は、ＯＴＡ（On The Air）と呼ばれる。
【００３２】
最近では、ＳＩＭに記録されているプロファイルの通信事業者情報（通信事業者のネットワークに接続するための設定情報）が変更されることで、無線通信モジュール１０は、他の通信事業者のネットワークに接続することが可能となる。
【００３３】
プロファイルには、通信事業者の加入者情報、ネットワークを介して提供するサービスの情報、およびこのサービスを利用するための情報が含まれる。
【００３４】
ｅＳＩＭ１９は、サービスを受ける上で必要な設定情報が記録されている。例えば、通信事業者情報、電話番号（例えばＩＶＳの電話番号）に関する情報など様々な設定情報がある。これらの情報は、例えば、ネットワーク８上の管理サーバ６で管理されることもある。
【００３５】
カード駆動部１６は、制御部１３から設定情報の読み出しや書き込みを受けた場合、ｅＳＩＭ１９に記録されたプロファイルの読み出し、ｅＳＩＭ１９への書き込みを行うようになっている。
【００３６】
なお、ｅＳＩＭ１９は、着脱式のＳＩＭカード（またはＵＩＭカード）と呼ばれるＩＣカード、すなわち情報カードでもよく、ＳＩＭカードの種別は問わない。一般に、ＳＩＭカードは、加入者を特定するための情報、通信事業者を特定するための事業者特定情報、および加入者が契約している利用可能なサービスに関する情報などが記録される。ｅＳＩＭ１９についても同様である。
【００３７】
以下、本実施の形態に係る無線通信システムの動作について説明する。
【００３８】
図３は、本実施の形態に係る無線通信システムの動作を表したシーケンス図である。本実施の形態に係る無線通信システムは、ＳＭＳ(Short Message Service)などによりＯＴＡを利用して、ｅＳＩＭ１９に記録されているプロファイルを書き替えることができるように構成されている。破線の右側は、無線通信モジュール１０を構成する部位と共にそれらの動作を示している。
【００３９】
例えば、プロファイルが書き替わる場合は、現在加入している通信事業者との契約から他の通信事業者との契約に替わるときである。また、他の通信事業者との契約に替わらない場合でも、契約しているサービスの内容が変更になる場合に、プロファイルが書き替わることもある。
【００４０】
図３では、無線通信モジュール１０が通信事業者Ａのサービスに契約されている状態であり、ネットワーク８Ａに接続された状態で、通信事業者Ｂのサービスに契約するために、ｅＳＩＭ１９に記録されているプロファイルが書き替わる動作について説明する。なお、ユーザが無線通信モジュール１０のｅＳＩＭ１９を初めて使用するなどの場合には、ｅＳＩＭ１９がリセットされていることもあるが、一時的になんらかのサービスがｅＳＩＭ１９に記録されていることもある。
【００４１】
まず、無線通信モジュール１０の操作者または通信事業者のプログラムなどが、無線通信モジュール１０のｅＳＩＭ１９の内容を書き替える動作を行うことで、通信事業者Ａのサービスから通信事業者Ｂのサービスに契約を変更する処理がなされる。その際の処理を以降説明する。
【００４２】
ｅＳＩＭ１９は、無線通信部１２等を介して、新しいプロファイルをネットワーク８Ａ（またはネットワーク８Ａに接続されたサーバ）からダウンロードし、ダウンロードした際に完了通知をネットワーク８Ａ（またはネットワーク８Ａに接続されたサーバ）に送信する（ステップＳ１）。新しいプロファイルは、通信事業者Ｂのサービスに関する情報を有している。この情報には、例えば、通信事業者Ａでは使用できない、通信事業者Ｂでは使用可能な通信方式(第２世代移動通信システム、第３世代移動通信システム、第４世代移動通信システムなどのセルラーの通信方式に加えて無線ＬＡＮ、ダイアルアップなど)を利用することが含まれている。
【００４３】
ｅＳＩＭ１９は、ネットワーク８Ａ（またはネットワーク８Ａに接続されたサーバ）から切替指示を受けて（ステップＳ２）、自身の再起動を実行部１７に要求する（ステップＳ３）。
【００４４】
実行部１７は、再起動要求を受けてＳＩＭ再起動（ここでは、ｅＳＩＭ１９の再起動）を行う（ステップＳ４）。ここで、ｅＳＩＭ１９は、再起動（Refresh）が行われると新しいプロファイルに切り替える（ステップＳ５）。
【００４５】
実行部１７は、ＳＩＭ再起動の後、ｅＳＩＭ１９から新しいプロファイルの情報を読み出す（ステップＳ６）。ここで、新しいプロファイルは、通信事業者Ｂのサービスに関する情報であるため、実行部１７は、読み出した通信事業者Ｂの通信方式でネットワーク８Ｂに接続を行う（ステップＳ７）。
【００４６】
なお、実行部１７が通信事業者Ｂの情報を取り出す場合、例えば、プロファイルからＩＭＳＩ（International Mobile Subscriber Identity）を取得すればよい。ＩＭＳＩは、ＰＬＭＮＩＤ （Public Land Mobile Network Identifier）およびＭＳＩＮ（Mobile Subscriber Identification Number）によって構成される。通常、ＰＬＭＮＩＤは、通信事業者のＩＤを表しており、図３の例の場合では、ＰＬＭＮＩＤは、通信事業者ＢのＩＤとなっている。
【００４７】
さらに、実行部１７は、新しいプロファイルの情報をＡＰＰ１８に通知する（ステップＳ８）。ＡＰＰ１８は、新しいプロファイルの情報に基ついて、変更された通信事業者Ｂのサービスに対応するため、ＡＰＰ１８は、通信事業者Ｂのネットワークを介して利用されるアプリケーションが使用可能になるように処理する（ステップＳ９）。その後、このアプリケーションは、通信事業者Ｂのサービスを開始する（ステップＳ１０）。
【００４８】
ステップＳ７のタイミングはステップＳ８と同時でもよい。ステップＳ７とステップＳ８のタイミングは、状況によってはステップＳ８が先になることがあるかもしれない。
【００４９】
アプリケーションを使用可能にする方法としては、通信事業者Ｂのネットワークまたは通信方式を介して利用されるアプリケーションを事前に無線通信モジュール１０にインストールしておき、そのアプリケーションが実行されるようにする。また、ＡＰＰ１８は、新しいプロファイルの情報に基ついて、通信事業者Ｂのネットワークまたは通信方式を介して利用されるアプリケーションをダウンロードしてインストールすることで、そのアプリケーションが実行されるようにしてもよい。
【００５０】
また、ＡＰＰ１８は、前のプロファイルで使用していた、通信事業者Ａのネットワークを介して利用されるアプリケーションをアンインストールするようにしてもよい。
【００５１】
以上説明したように、本実施の形態に係る無線通信システムは、ｅＳＩＭ１９のプロファイルが書き替わった際、実行部１７が新しいプロファイルの情報をＡＰＰ１８（アプリケーション駆動部）に通知することで、ユーザの手動の操作を介在しないで、新しいプロファイルの通信事業者のネットワークを介して利用されるアプリケーションを使用可能にし、無線通信機器の動作を適切にすることができる。
【００５２】
プロファイルが切り替わった場合、無線通信モジュール１０において、仮に、実行部１７が新しいプロファイルの情報をＡＰＰ１８（アプリケーション駆動部）に通知しないとしたら、古いプロファイルの通信事業者のネットワークを介して利用されるアプリケーションが動作している。このため、ユーザは、新しいプロファイルの通信事業者が提供するサービスをすぐに利用できないことになる。後日、ユーザの手動の操作を介在させて、ユーザが新しいプロファイルの通信事業者のネットワークを介して利用されるアプリケーションをインストールし、再設定を行うことはユーザにとって煩雑である。
【００５３】
図４は、本実施の形態に係る無線通信システムの動作を表したシーケンス図（パート２）である。破線の右側は、無線通信モジュール１０を構成する部位と共にそれらの動作を示している。図３で説明したときの本実施の形態に係る無線通信システムの動作と同じ符号には同一の符号を付し、その説明を省略する。
【００５４】
ステップＳ１〜ステップＳ５までの説明は省略し、ステップＳ６で、実行部１７は、ｅＳＩＭ１９から新しいプロファイルの情報を読み出し、古いプロファイルと新しいプロファイルの情報を比較し、プロファイルの内容に変更があるか無いかを判定する（ステップＳ１１）。
【００５５】
なお、プロファイルの情報は、例えば、プロファイルが切り替わる毎または初期状態で、記憶部１４などに記憶される。古いプロファイルの情報は、記憶部１４などに記憶されており、古いプロファイルと新しいプロファイルの情報が比較される。
【００５６】
例えば、通信事業者の情報（例えば、ＩＭＳＩなどの通信事業者の識別情報）が変更されていた場合（ステップＳ１１のＹＥＳ）または通信事業者の情報が無い場合、ステップＳ７以降の動作が行われ（新しいプロファイルの情報がＡＰＰ１８に通知される）、そうでない場合（ステップＳ１１のＮＯ）、図４に示すように動作は終了する（新しいプロファイルの情報がＡＰＰ１８に通知されない）。なお、プロファイルの情報が全く変更されていない場合には（ステップＳ１１のＮＯ）、図４に示すように動作は終了する。
【００５７】
通信事業者の情報が変更されていなくても、サービスが一部変更されていた場合、ステップＳ７以降の動作が行われてもよい。その場合には、例えば、ステップＳ９で、そのサービスに対応するアプリケーションがダウンロードされ、インストールされる。
【００５８】
以上説明したように、本実施の形態に係る無線通信システムは、ｅＳＩＭ１９のプロファイルの情報の全部または一部が書き替っていない場合、その後の動作をスキップし、不要な動作を行わないため、プロファイルの切り替えの動作が効率的になる。
【００５９】
本実施の形態に係る無線通信システムは、ネットワーク８Ａに接続された構成で説明したが、他のネットワーク（無線ＬＡＮなど）に接続された場合でもｅＳＩＭ１９に記録されているプロファイルが書き替えることは可能である。
【符号の説明】
【００６０】
４  基地局
８  ネットワーク
６  管理サーバ
７  ＰＳＡＰ
１０  無線通信モジュール
１１  アンテナ
１２  無線通信部
１３  制御部
１４  記憶部
１５  ＩＦ
１６  カード駆動部
１７  実行部
１８  ＡＰＰ
１９  ｅＳＩＭ
２０  車両
１００  無線端末
【図１】
2019096949.tif 000003
【図２】
2019096949.tif 000004
【図３】
2019096949.tif 000005
【図４】
2019096949.tif 000006